(57)【要約】【課題】映像信号が複数の伝送路を介して送信されるシステムの生産コストを抑制することが可能な技術が提供されることが望まれる。【解決手段】映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、前記複数の分割信号を別個に含む複数のフレームを生成するフレーム生成部と、を備える、フレーム生成装置が提供される。【選択図】図１Ａ
2017094318.tif 000002
【特許請求の範囲】
【請求項１】
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、
前記複数の分割信号を別個に含む複数のフレームを生成するフレーム生成部と、
を備える、フレーム生成装置。
【請求項２】
前記フレーム生成部は、前記フレームの先頭にフレーム開始識別子を付する、
請求項１に記載のフレーム生成装置。
【請求項３】
前記フレーム生成部は、前記分割信号の各ラインの先頭画素の前記映像信号における位置情報を前記フレームの所定位置に付する、
請求項２に記載のフレーム生成装置。
【請求項４】
前記フレームのうち、前記分割信号の各ラインの前には、前記フレーム開始識別子または少なくとも前記映像信号には存在しない所定のコードに置換されるブランキング区間が存在し、
前記フレーム生成部は、前記フレーム開始識別子または前記ブランキング区間の位置を基準とした前記所定位置に前記位置情報を付する、
請求項３に記載のフレーム生成装置。
【請求項５】
前記画像分割部は、前記垂直方向ライン番号が２ｍであるラインに含まれる画素群と前記垂直方向ライン番号が（２ｍ＋１）であるラインに含まれる画素群とを所定の分割数に分割する、
請求項１に記載のフレーム生成装置。
【請求項６】
前記フレーム生成装置は、
伝送路一本あたりの伝送容量と前記映像信号の伝送レートとに基づいて前記分割数を算出する分割数算出部を備える、
請求項５に記載のフレーム生成装置。
【請求項７】
前記画像分割部は、前記分割数が４の倍数である場合、
前記カラーフォーマット情報がＲＧＢまたはＹＣｂＣｒ４４４である場合には、（水平方向画素番号，垂直方向ライン番号）＝（２ｎ，２ｍ）（２ｎ，２ｍ＋１）（２ｎ＋１，２ｍ）（２ｎ＋１，２ｍ＋１）によって示される４画素それぞれを異なるレーンに出力し、
前記カラーフォーマット情報がＹＣｂＣｒ４２２である場合には、（２ｎ，２ｍ）（２ｎ，２ｍ＋１）によって示される２画素をそれぞれ異なるレーンに出力するとともに、（２ｎ＋１，２ｍ）（２ｎ＋１，２ｍ＋１）によって示される２画素を同一のレーンに出力し、
前記カラーフォーマット情報がＹＣｂＣｒ４２０である場合には、（２ｎ，２ｍ）によって示される画素を所定のレーンに出力するとともに、（２ｎ，２ｍ＋１）（２ｎ＋１，２ｍ）（２ｎ＋１，２ｍ＋１）によって示される３画素を同一のレーンに出力する、
請求項５に記載のフレーム生成装置。
【請求項８】
前記画像分割部は、前記分割数が２である場合、
前記カラーフォーマット情報がＲＧＢまたはＹＣｂＣｒ４４４である場合には、（水平方向画素番号，垂直方向ライン番号）＝（２ｎ，２ｍ）（２ｎ，２ｍ＋１）（２ｎ＋１，２ｍ＋１）によって示される４画素のうちいずれか２つを同一レーンに（２ｎ＋１，２ｍ）出力するとともに、他の２つを同一レーンに出力し、
前記カラーフォーマット情報がＹＣｂＣｒ４２２である場合には、（２ｎ，２ｍ）（２ｎ＋１，２ｍ）によって示される２画素を同一のレーンに出力するとともに、（２ｎ，２ｍ＋１）（２ｎ＋１，２ｍ＋１）によって示される２画素を同一のレーンに出力し、または、（２ｎ，２ｍ）（２ｎ＋１，２ｍ＋１）によって示される２画素を同一のレーンに出力するとともに、（２ｎ，２ｍ＋１）（２ｎ＋１，２ｍ）によって示される２画素を同一のレーンに出力し、
前記カラーフォーマット情報がＹＣｂＣｒ４２０である場合には、（２ｎ，２ｍ）（２ｎ，２ｍ＋１）（２ｎ＋１，２ｍ）（２ｎ＋１，２ｍ＋１）によって示される４画素を同一のレーンに出力する、
請求項５に記載のフレーム生成装置。
【請求項９】
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得ることと、
前記複数の分割信号を別個に含む複数のフレームを生成することと、
を備える、フレーム生成方法。
【請求項１０】
垂直方向ライン番号が２ｍであるラインに含まれる画素群と前記垂直方向ライン番号が（２ｍ＋１）であるラインに含まれる画素群とを映像信号のカラーフォーマット情報に基づいて分割する動作を０≦ｍ≦（Ｍ／２）−１を満たすすべての整数ｍについて行うことにより得られた複数の分割信号を別個に含む複数のフレームが受信されると、前記複数の分割信号を取得する信号取得部と、
前記分割信号に基づいて、前記映像信号を復元する画像復元部と、
を備える、画像復元装置。
【請求項１１】
前記信号取得部は、フレーム開始識別子の位置に基づいて前記分割信号を取得する、
請求項１０に記載の画像復元装置。
【請求項１２】
前記画像復元部は、前記フレームの所定位置に付された前記分割信号の各ラインの先頭画素の前記映像信号における位置情報に基づいて前記映像信号を復元する、
請求項１０に記載の画像復元装置。
【請求項１３】
前記フレームのうち、前記分割信号の各ラインの前には、フレーム開始識別子またはブランキング区間が存在し、
前記画像復元部は、前記フレーム開始識別子または前記ブランキング区間の位置を基準とした所定位置に付された前記位置情報に基づいて前記映像信号を復元する、
請求項１２に記載の画像復元装置。
【請求項１４】
前記信号取得部は、前記垂直方向ライン番号が２ｍであるラインに含まれる画素群と前記垂直方向ライン番号が（２ｍ＋１）であるラインに含まれる画素群とを所定の分割数に分割することによって得られた前記複数の分割信号を取得する
請求項１０に記載の画像復元装置。
【請求項１５】
前記分割数は、伝送路一本あたりの伝送容量と前記映像信号の伝送レートとに基づいて算出される、
請求項１４に記載の画像復元装置。
【請求項１６】
前記分割数が４の倍数である場合、
前記カラーフォーマット情報がＲＧＢまたはＹＣｂＣｒ４４４である場合には、（水平方向画素番号，垂直方向ライン番号）＝（２ｎ，２ｍ）（２ｎ，２ｍ＋１）（２ｎ＋１，２ｍ）（２ｎ＋１，２ｍ＋１）によって示される４画素それぞれが異なるレーンから入力され、
前記カラーフォーマット情報がＹＣｂＣｒ４２２である場合には、（２ｎ，２ｍ）（２ｎ，２ｍ＋１）がそれぞれ異なるレーンから入力されるとともに、（２ｎ＋１，２ｍ）（２ｎ＋１，２ｍ＋１）が同一のレーンから入力され、
前記カラーフォーマット情報がＹＣｂＣｒ４２０である場合には、（２ｎ，２ｍ）が所定のレーンから入力されるとともに、（２ｎ，２ｍ＋１）（２ｎ＋１，２ｍ）（２ｎ＋１，２ｍ＋１）が同一のレーンから入力される、
請求項１４に記載の画像復元装置。
【請求項１７】
前記分割数が２である場合、
前記カラーフォーマット情報がＲＧＢまたはＹＣｂＣｒ４４４である場合には、（水平方向画素番号，垂直方向ライン番号）＝（２ｎ，２ｍ）（２ｎ＋１，２ｍ）（２ｎ，２ｍ＋１）（２ｎ＋１，２ｍ＋１）によって示される４画素のうちいずれか２つが同一レーンから入力されるとともに、他の２つが同一レーンから入力され、
前記カラーフォーマット情報がＹＣｂＣｒ４２２である場合には、（２ｎ，２ｍ）（２ｎ＋１，２ｍ）が同一のレーンから入力されるとともに、（２ｎ，２ｍ＋１）（２ｎ＋１，２ｍ＋１）が同一のレーンから入力され、または、（２ｎ，２ｍ）（２ｎ＋１，２ｍ＋１）が同一のレーンから入力されるとともに、（２ｎ，２ｍ＋１）（２ｎ＋１，２ｍ）が同一のレーンから入力され、
前記カラーフォーマット情報がＹＣｂＣｒ４２０である場合には、（２ｎ，２ｍ）（２ｎ，２ｍ＋１）（２ｎ＋１，２ｍ）（２ｎ＋１，２ｍ＋１）が同一のレーンから入力される、
請求項１４に記載の画像復元装置。
【請求項１８】
垂直方向ライン番号が２ｍであるラインに含まれる画素群と前記垂直方向ライン番号が（２ｍ＋１）であるラインに含まれる画素群とを映像信号のカラーフォーマット情報に基づいて分割する動作を０≦ｍ≦（Ｍ／２）−１を満たすすべての整数ｍについて行うことにより得られた複数の分割信号を別個に含む複数のフレームが受信されると、前記複数の分割信号を取得することと、
前記分割信号に基づいて、前記映像信号を復元することと、
を備える、画像復元方法。
【請求項１９】
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、
前記複数の分割信号を別個に含む複数のフレームを生成するフレーム生成部と、
を備える、送信器と、
前記複数のフレームが受信されると、前記複数の分割信号を取得する信号取得部と、
前記分割信号に基づいて、前記映像信号を復元する画像復元部と、
を備える、受信器と、
を有する、画像伝送システム。
【請求項２０】
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得ることと、
前記複数の分割信号を別個に含む複数のフレームを生成することと、
前記複数のフレームが受信されると、前記複数の分割信号を取得することと、
前記分割信号に基づいて、前記映像信号を復元することと、
を含む、画像伝送方法。
【発明の詳細な説明】
【技術分野】
【０００１】
本開示は、フレーム生成装置、フレーム生成方法、画像復元装置、画像復元方法、画像伝送システムおよび画像伝送方法に関する。
【背景技術】
【０００２】
近年、映像信号の情報量が飛躍的に向上しており、超高解像度超高階調ベースバンド映像信号が普及しつつある。例えば、有効画素数が７６８０×４３２０であるスーパーハイビジョン（ＳＨＶ）が推進されており、スーパーハイビジョンでは、１画素あたりの画素要素（Ｒ，Ｇ，Ｂ、および、Ｙ，Ｃｂ，Ｃｒ）それぞれのビット数は、１０ビットまたは１２ビットである。また、カラーフォーマットとしても、既に存在している方式（ＲＧＢ方式、ＹＣｂＣｒ４４４方式、および、ＹＣｂＣｒ４２２方式）に加えて、ＹＣｂＣｒ４２０方式も使用されようとしている。【０００３】
例えば、スーパーハイビジョンでは、有効画素数が７６８０×４３２０画素、カラーフォーマットがＲＧＢ、画素ビット数が３６ｂｉｔ、フレームレートが１２０Ｈｚである場合、伝送レートは１７１Ｇｂｐｓである。送信器は、このような超高速な映像信号を受信器に伝送する場合、映像信号を複数に分割し、分割して得られた複数の分割信号それぞれを、対応する伝送路を介して伝送する手法が用いられる。このとき、映像信号のカラーフォーマット情報に基づいて、複数の分割信号の伝送に使用する伝送路の数を変更する技術が開示されている（例えば、非特許文献１参照。）。かかる技術によれば、伝送路に対する負荷が低減され得る。
【先行技術文献】
【非特許文献】
【０００４】
【非特許文献１】“ＡＲＩＢ  ＳＴＤ−Ｂ５８  超高精細度テレビジョン信号  スタジオ機器間インタフェース規格（Ｉｎｔｅｒｆａｃｅ  ｆｏｒ  ＵＨＤＴＶ  Ｐｒｏｄｕｃｔｉｏｎ  Ｓｙｓｔｅｍｓ）”、［ｏｎｌｉｎｅ］、平成２６年３月１８日策定、一般社団法人  電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）、［平成２７年１１月２４日検索］、インターネット〈ＵＲＬ：ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／２−ＳＴＤ−Ｂ５８ｖ１＿０．ｐｄｆ〉
【発明の概要】
【発明が解決しようとする課題】
【０００５】
しかし、映像信号が複数の伝送路を介して送信されるシステムの生産コストを抑制することが可能な技術が提供されることが望まれる。
【課題を解決するための手段】
【０００６】
本開示によれば、映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、前記複数の分割信号を別個に含む複数のフレームを生成するフレーム生成部と、を備える、フレーム生成装置が提供される。【０００７】
本開示によれば、映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得ることと、前記複数の分割信号を別個に含む複数のフレームを生成することと、を備える、フレーム生成方法が提供される。【０００８】
本開示によれば、垂直方向ライン番号が２ｍであるラインに含まれる画素群と前記垂直方向ライン番号が（２ｍ＋１）であるラインに含まれる画素群とを映像信号のカラーフォーマット情報に基づいて分割する動作を０≦ｍ≦（Ｍ／２）−１を満たすすべての整数ｍについて行うことにより得られた複数の分割信号を別個に含む複数のフレームが受信されると、前記複数の分割信号を取得する信号取得部と、前記分割信号に基づいて、前記映像信号を復元する画像復元部と、を備える、画像復元装置が提供される。【０００９】
本開示によれば、垂直方向ライン番号が２ｍであるラインに含まれる画素群と前記垂直方向ライン番号が（２ｍ＋１）であるラインに含まれる画素群とを映像信号のカラーフォーマット情報に基づいて分割する動作を０≦ｍ≦（Ｍ／２）−１を満たすすべての整数ｍについて行うことにより得られた複数の分割信号を別個に含む複数のフレームが受信されると、前記複数の分割信号を取得することと、前記分割信号に基づいて、前記映像信号を復元することと、を備える、画像復元方法が提供される。【００１０】
本開示によれば、映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、前記複数の分割信号を別個に含む複数のフレームを生成するフレーム生成部と、を備える、送信器と、前記複数のフレームが受信されると、前記複数の分割信号を取得する信号取得部と、前記分割信号に基づいて、前記映像信号を復元する画像復元部と、を備える、受信器と、を有する、画像伝送システムが提供される。【００１１】
本開示によれば、映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得ることと、前記複数の分割信号を別個に含む複数のフレームを生成することと、前記複数のフレームが受信されると、前記複数の分割信号を取得することと、前記分割信号に基づいて、前記映像信号を復元することと、を含む、画像伝送方法が提供される。
【発明の効果】
【００１２】
以上説明したように本開示によれば、映像信号が複数の伝送路を介して送信されるシステムの生産コストを抑制することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１Ａ】本開示の一実施形態に係る画像伝送システムの構成の一例を示す図である。
【図１Ｂ】本開示の一実施形態に係る画像伝送システムの構成の一例を示す図である。
【図２Ａ】同実施形態に係る映像信号の例を示す図である。
【図２Ｂ】映像信号を構成する各画素に含まれる画素要素の例を示す図である。
【図３】画像分割部の詳細構成を示す図である。
【図４Ａ】カラーフォーマット情報がＲＧＢまたはＹＣｂＣｒ４４４である場合において画素出力部に入力される画素群の例を示す図である。
【図４Ｂ】カラーフォーマット情報がＹＣｂＣｒ４２２である場合において画素出力部に入力される画素群の例を示す図である。
【図４Ｃ】カラーフォーマット情報がＹＣｂＣｒ４２０である場合において画素出力部に入力される画素群の例を示す図である。
【図５Ａ】カラーフォーマット情報がＲＧＢまたはＹＣｂＣｒ４４４である場合において画素要素出力部における画素群の入出力の例を示す図である。
【図５Ｂ】カラーフォーマット情報がＹＣｂＣｒ４２２である場合において画素要素出力部における画素群の入出力の例を示す図である。
【図５Ｃ】カラーフォーマット情報がＹＣｂＣｒ４２０である場合において画素要素出力部における画素群の入出力の例を示す図である。
【図６Ａ】カラーフォーマット情報がＲＧＢまたはＹＣｂＣｒ４４４である場合において画素要素出力部における画素群の入出力の例を示す図である。
【図６Ｂ】カラーフォーマット情報がＹＣｂＣｒ４２２である場合において画素要素出力部における画素群の入出力の例を示す図である。
【図６Ｃ】カラーフォーマット情報がＹＣｂＣｒ４２０である場合において画素要素出力部における画素群の入出力の例を示す図である。
【図７】フレーム生成部によって生成されるフレームの構成例を示す図である。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１６】
なお、説明は以下の順序で行うものとする。
１．背景
２．画像伝送システムの構成例
２．１．送信器の構成例
２．２．受信器の構成例
３．むすび
【００１７】
（１．背景）
まず、本実施形態の背景について説明する。近年、映像信号の情報量が飛躍的に向上しており、超高解像度超高階調ベースバンド映像信号が普及しつつある。例えば、有効画素数が７６８０×４３２０であるスーパーハイビジョン（ＳＨＶ）が推進されており、スーパーハイビジョンでは、１画素あたりの画素要素（Ｒ，Ｇ，Ｂ、および、Ｙ，Ｃｂ，Ｃｒ）それぞれのビット数は、１０ビットまたは１２ビットである。また、カラーフォーマットとしても、既に存在している方式（ＲＧＢ方式、ＹＣｂＣｒ４４４方式、および、ＹＣｂＣｒ４２２方式）に加えて、ＹＣｂＣｒ４２０方式も使用されようとしている。
【００１８】
例えば、スーパーハイビジョンでは、有効画素数が７６８０×４３２０画素、カラーフォーマットがＲＧＢ、画素ビット数が３６ｂｉｔ、フレームレートが１２０Ｈｚである場合、伝送レートは１７１Ｇｂｐｓである。送信器は、このような超高速な映像信号を受信器に伝送する場合、映像信号を複数に分割し、分割して得られた複数の分割信号それぞれを、対応する伝送路を介して伝送する手法が用いられる。以下、各画素の位置情報を（水平方向画素番号，垂直方向ライン番号）として表すことがある。
【００１９】
このとき、カラーフォーマット情報に基づいて、複数の分割信号の伝送に使用する伝送路の数を変更する技術が開示されている（例えば、非特許文献１参照。）。かかる技術においては、映像信号の画素数が７６８０×４３２０、１画素あたりのビット数が３６ｂｉｔ、フレームレートが１２０Ｈｚである場合を想定している。また、かかる技術においては、ＴＨを水平方向画素数、ＴＬを垂直方向画素数とし、ｎを０〜（ＴＨ／４）−１までの整数とし、ｍを０〜（ＴＬ／４）−１までの整数とし、ｋ，ｌを、０〜３の任意の整数同士の１６通りの組み合わせとしている。
【００２０】
そして、送信器は、カラーフォーマット情報が、ＲＧＢ、または、ＹＣｂＣｒ４４４である場合、映像信号の各画素を（４ｎ＋ｋ，４ｍ＋ｌ）の１６グループに分け、各画素をＲ，Ｇ，Ｂ、または、Ｙ，Ｃｂ，Ｃｒの画素要素に分解することによって、映像信号を４８グループに分ける。さらに、送信器は、Ｒ，Ｇ，Ｂ、または、Ｙ，Ｃｂ，Ｃｒそれぞれの１６グループのうち、２画素要素それぞれの１６グループを合計８グループにまとめ、１画素要素の１６グループをそのままにし、合計２４グループそれぞれを異なる伝送路を介して伝送する。
【００２１】
また、送信器は、カラーフォーマット情報が、ＹＣｂＣｒ４２２である場合、同様にして映像信号を４８グループに分ける。ここで、Ｙ要素は、すべてのグループに存在するため、１６グループに分けられるが、Ｃｂ要素およびＣｒ要素それぞれは、水平方向画素番号が偶数である場合にしか存在しないため、８（＝１６／２）グループに分けられる。そこで、送信器は、Ｙ要素の１６グループを８グループにまとめ、Ｃｂ要素およびＣｒ要素それぞれを８グループから４グループにし、合計１６（＝８＋４×２）グループそれぞれを異なる伝送路を介して伝送する。
さらに、
【００２２】
また、送信器は、カラーフォーマット情報が、ＹＣｂＣｒ４２０である場合、同様にして映像信号を４８グループに分ける。ここで、Ｙ要素は、すべてのグループに存在するため、１６グループに分けられるが、Ｃｂ要素およびＣｒ要素それぞれは、水平方向画素番号が偶数、かつ、垂直方向ライン番号が偶数である場合にしか存在しないため、４（＝１６／４）グループに分けられる。そこで、送信器は、Ｙ要素の１６グループを８グループにまとめ、Ｃｂ要素およびＣｒ要素それぞれを４グループから２グループにし、合計１２（＝８＋２×２）グループそれぞれを異なる伝送路を介して伝送する。
【００２３】
以上に説明したように、カラーフォーマット情報に基づいて、複数の分割信号の伝送に使用する伝送路の数を変更する技術によれば、伝送路に対する負荷が低減され得る。しかしながら、かかる技術においては、映像信号の分割単位が（４ｎ＋ｋ，４ｍ＋ｌ）であるため、４ライン分の画素群を保持するためのラインメモリが必要となる。したがって、本明細書においては、映像信号が複数の伝送路を介して送信されるシステムの生産コストを抑制することが可能な技術について主に提案する。
【００２４】
以上、本実施形態の背景について説明した。
【００２５】
（２．画像伝送システムの構成例）
続いて、本実施形態に係る画像伝送システムの構成例について説明する。図１Ａおよび図１Ｂは、本実施形態に係る画像伝送システムの構成の一例を示す図である。図１Ａおよび図１Ｂに示すように、画像伝送システムは、送信器１００と、受信器２００とを有する。送信器１００と受信器２００とは、ケーブル３００を介して接続されており、ケーブル３００には伝送路３０１−１〜３０１−ＬＮ（ＬＮは２以上の整数）が含まれている。以下では、伝送路一本あたりの伝送容量を、ＬＣ［ｂｐｓ］と表現する場合がある。
【００２６】
なお、送信器１００は、「フレーム生成装置」として機能し得る。また、受信器２００は、「画像復元装置」として機能し得る。送信器１００は、画像生成部１０１と、画像分割部１０２と、分割数算出部１０３と、信号出力部１０４と、割り当て部１０５と、パケット生成部１０６と、フレーム生成部１０７と、送信部１０８−１〜１０８−ＬＮとを備える。
【００２７】
（２−１．送信器の構成例）
まず、送信器１００の構成について説明する。画像生成部１０１は、映像信号を生成する。以下では、映像信号の伝送レートをＶＣ［ｂｐｓ］と表現する場合がある。なお、図１Ａには、画像生成部１０１が送信器１００に組み込まれている例が示されているが、画像生成部１０１は、送信器１００の外部に存在していてもよい。また、図１Ａに示した例では、画像生成部１０１が一つの映像信号を生成するが、画像生成部１０１によって生成される映像信号の数は複数であってもよい。
【００２８】
図２Ａは、本実施形態に係る映像信号の例を示す図である。図２Ａに示すように、映像信号Ｉｍｇにおける水平方向画素数をＮとし、映像信号Ｉｍｇにおける垂直方向ライン数をＭとする。すなわち、映像信号Ｉｍｇにおける水平方向画素番号を０からＮ−１までの整数とし、映像信号Ｉｍｇにおける垂直方向ライン番号を０からＭ−１までの整数とする。なお、映像信号Ｉｍｇには、後に説明するブランキング区間が含まれるが、図２Ａからはブランキング区間が省略されている。
【００２９】
ここで、映像信号Ｉｍｇを構成する各画素に含まれる画素要素の種類は特に限定されない。図２Ｂは、映像信号Ｉｍｇを構成する各画素に含まれる画素要素の例を示す図である。図２Ｂに示すように、映像信号Ｉｍｇを構成する各画素（水平方向画素番号、垂直方向ライン番号）＝（０，０），（１，０），（２，０），・・・，（ｎ−１，ｍ−１）それぞれに対応する画素要素の種類は、ＲＧＢであってもよいし、ＹＣｂＣｒであってもよい。
【００３０】
分割数算出部１０３は、伝送路の一本あたりの伝送容量ＬＣ［ｂｐｓ］と映像信号Ｉｍｇの伝送レートＶＣ［ｂｐｓ］とに基づいて、映像信号Ｉｍｇの分割数Ｄを算出する。より詳細には、分割数算出部１０３は、ＶＣ［ｂｐｓ］／ＬＣ［ｂｐｓ］が超えない整数（例えば、最小の整数）を分割数Ｄとして算出すればよい。以下では、Ｄ＝２、または、４の倍数として算出された場合を主に想定するが、Ｄは自然数であれば特に限定されない。まず、分割数Ｄが４の倍数である場合を説明する。また、分割数算出部１０３は、伝送路の一本あたりの伝送容量ＬＣ［ｂｐｓ］をあらかじめ保持していてもよいし、映像信号Ｉｍｇの伝送レートＶＣ［ｂｐｓ］を画像生成部１０１から取得してよい。
【００３１】
画像分割部１０２は、入力端子１０２７を介して画像生成部１０１から映像信号Ｉｍｇのカラーフォーマット情報が入力される。画像分割部１０２は、このカラーフォーマット情報に基づいて垂直方向ライン番号が２ｍであるラインに含まれる画素群と垂直方向ライン番号が（２ｍ＋１）であるラインに含まれる画素群とを分割する動作を、０≦ｍ≦（Ｍ／２）−１を満たすすべての整数ｍについて行うことにより複数の分割信号を得る。このとき、画像分割部１０２は、映像信号Ｉｍｇのカラーフォーマット情報に基づいて垂直方向ライン番号が２ｍであるラインに含まれる画素群と垂直方向ライン番号が（２ｍ＋１）であるラインに含まれる画素群とを所定の分割数に分割する。より詳細には、画像分割部１０２は、伝送路一本あたりの伝送容量と映像信号Ｉｍｇの伝送レートとに基づいて分割数を算出する。
【００３２】
画像分割部１０２の詳細について説明する。図３は、画像分割部１０２の詳細構成を示す図である。図３に示すように、画像分割部１０２は、ライン出力部１０２１と、画素出力部１０２２と、画素要素出力部１０２３−１〜１０２３−ＬＮとを有する。ライン出力部１０２１は、１ライン分の画素群を保持するためのラインメモリを有し、ラインメモリによって垂直方向ライン番号が２ｍであるラインに含まれる画素群を一時的に保持し、垂直方向ライン番号が（２ｍ＋１）であるラインに含まれる画素群とともに画素出力部１０２２に出力する。
【００３３】
ここで、画素出力部１０２２に入力される画素群の例について説明する。図４Ａは、カラーフォーマット情報がＲＧＢまたはＹＣｂＣｒ４４４である場合において画素出力部１０２２に入力される画素群の例を示す図である。カラーフォーマット情報がＲＧＢまたはＹＣｂＣｒ４４４である場合には、図４Ａに示すように、偶数ライン（垂直方向ライン番号が２ｍであるライン）に含まれる画素群と奇数ライン（垂直方向ライン番号が（２ｍ＋１）であるライン）に含まれる画素群とのすべてにおいて、ＲＧＢまたはＹＣｂＣｒが存在する。
【００３４】
また、図４Ｂは、カラーフォーマット情報がＹＣｂＣｒ４２２である場合において画素出力部１０２２に入力される画素群の例を示す図である。カラーフォーマット情報がＹＣｂＣｒ４２２である場合には、図４Ｂに示すように、偶数ライン（垂直方向ライン番号が２ｍであるライン）に含まれる画素群と奇数ライン（垂直方向ライン番号が（２ｍ＋１）であるライン）に含まれる画素群とのすべてにおいて、Ｙは存在するが、ＣｂＣｒは、水平方向画素番号が偶数である場合にしか存在しない。
【００３５】
また、図４Ｃは、カラーフォーマット情報がＹＣｂＣｒ４２０である場合において画素出力部１０２２に入力される画素群の例を示す図である。カラーフォーマット情報がＹＣｂＣｒ４２０である場合には、図４Ｃに示すように、偶数ライン（垂直方向ライン番号が２ｍであるライン）に含まれる画素群と奇数ライン（垂直方向ライン番号が（２ｍ＋１）であるライン）に含まれる画素群とのすべてにおいて、Ｙは存在するが、ＣｂＣｒは、水平方向画素番号が偶数、かつ、垂直方向ライン番号が偶数である場合にしか存在しない。
【００３６】
図４Ａ〜図４Ｃに示したように、カラーフォーマットに依存せずにＹはすべての画素に存在するが、カラーフォーマットによってＣｂＣｒがどの画素に存在するかは異なっている。しかし、カラーフォーマットに依存せず、（２ｎ，２ｍ）（２ｎ，２ｍ＋１）（２ｎ＋１，２ｍ）（２ｎ＋１，２ｍ＋１）の４画素が映像信号Ｉｍｇを構成する一つの単位となっている。
【００３７】
そこで、画素出力部１０２２は、入力端子１０２６を介して分割数算出部１０３から入力された分割数Ｄに基づいて、（２ｎ，２ｍ）（２ｎ，２ｍ＋１）（２ｎ＋１，２ｍ）（２ｎ＋１，２ｍ＋１）の４画素を画素単位として、分割数Ｄ／４のいずれか一つのグループに分類する動作を０≦ｎ≦（Ｎ／２）−１を満たすすべての整数ｎについて行う。すなわち、画素出力部１０２２は、この画素単位を第（（ｎ％（Ｄ／２））＋１）のグループに分類する。
【００３８】
例えば、画素出力部１０２２は、分割数Ｄが１６である場合、
第１のグループに［（０，０）（０，１）（１，０）（１，１）］［（８，０）（８，１）（９，０）（９，１）］・・・を分類し、
第２のグループに［（２，０）（２，１）（３，０）（３，１）］［（１０，０）（１０，１）（１１，０）（１１，１）］・・・を分類し、
第３のグループに［（４，０）（４，１）（５，０）（５，１）］［（１２，０）（１２，１）（１３，０）（１３，１）］・・・を分類し、
第４のグループに［（６，０）（６，１）（７，０）（７，１）］［（１４，０）（１４，１）（１５，０）（１５，１）］・・・を分類する。
【００３９】
画素出力部１０２２は、第１のグループから第（Ｄ／４）のグループをそれぞれ、画素要素出力部１０２３−１〜１０２３−（ＬＮ／４）のうち、画素要素出力部１０２３−１〜１０２３−（Ｄ／４）に出力する。画素要素出力部１０２３−１〜１０２３−（Ｄ／４）の入力端子Ｐ１〜Ｐ４には、（２ｎ，２ｍ）（２ｎ，２ｍ＋１）（２ｎ＋１，２ｍ）（２ｎ＋１，２ｍ＋１）の４画素それぞれが入力される。
【００４０】
画素要素出力部１０２３−１〜１０２３−（Ｄ／４）は、カラーフォーマット情報に基づいて、画素出力部１０２２から入力端子Ｐ１〜Ｐ４を介して入力された（２ｎ，２ｍ）（２ｎ，２ｍ＋１）（２ｎ＋１，２ｍ）（２ｎ＋１，２ｍ＋１）によって示される４画素それぞれを４つの出力端子Ｌ１〜Ｌ４のいずれかに出力する。
【００４１】
図５Ａは、カラーフォーマット情報がＲＧＢまたはＹＣｂＣｒ４４４である場合において画素要素出力部１０２３−１〜１０２３−（Ｄ／４）における画素群の入出力の例を示す図である。かかる場合には、偶数ラインに含まれる画素群と奇数ラインに含まれる画素群とのすべてにおいて、ＲＧＢまたはＹＣｂＣｒが存在する（図４Ａ参照）。そこで、かかる場合には、画素要素出力部１０２３−１〜１０２３−（Ｄ／４）は、画素出力部１０２２から入力された（２ｎ，２ｍ）（２ｎ，２ｍ＋１）（２ｎ＋１，２ｍ）（２ｎ＋１，２ｍ＋１）によって示される４画素それぞれを異なる出力端子に出力する。出力端子は、信号出力部１０４に接続される。
【００４２】
より具体的には、図５Ａに示すように、画素要素出力部１０２３−１〜１０２３−（Ｄ／４）は、画素出力部１０２２から入力端子Ｐ１を介して入力された（２ｎ，２ｍ）によって示される画素（ＲＧＢまたはＹＣｂＣｒ）を出力端子Ｌ１に出力する。また、図５Ａに示すように、画素要素出力部１０２３−１〜１０２３−（Ｄ／４）は、画素出力部１０２２から入力端子Ｐ２を介して入力された（２ｎ，２ｍ＋１）によって示される画素（ＲＧＢまたはＹＣｂＣｒ）を出力端子Ｌ２に出力する。
【００４３】
また、図５Ａに示すように、画素要素出力部１０２３−１〜１０２３−（Ｄ／４）は、画素出力部１０２２から入力端子Ｐ３を介して入力された（２ｎ＋１，２ｍ）によって示される画素（ＲＧＢまたはＹＣｂＣｒ）を出力端子Ｌ３に出力する。また、図５Ａに示すように、画素要素出力部１０２３−１〜１０２３−（Ｄ／４）は、画素出力部１０２２から入力端子Ｐ４を介して入力された（２ｎ＋１，２ｍ＋１）によって示される画素（ＲＧＢまたはＹＣｂＣｒ）を出力端子Ｌ４に出力する。
【００４４】
図５Ｂは、カラーフォーマット情報がＹＣｂＣｒ４２２である場合において画素要素出力部１０２３−１〜１０２３−（Ｄ／４）における画素群の入出力の例を示す図である。かかる場合には、偶数ラインに含まれる画素群と奇数ラインに含まれる画素群とのすべてにおいて、Ｙは存在するが、ＣｂＣｒは、水平方向画素番号が偶数である場合にしか存在しない（図４Ｂ参照）。
【００４５】
そこで、かかる場合には、画素要素出力部１０２３−１〜１０２３−（Ｄ／４）は、画素出力部１０２２から入力された（２ｎ，２ｍ）（２ｎ，２ｍ＋１）によって示される２画素（ＲＧＢまたはＹＣｂＣｒ）それぞれを異なる出力端子に出力するとともに、（２ｎ＋１，２ｍ）（２ｎ＋１，２ｍ＋１）によって示される２画素（Ｙ）を同一の出力端子に出力する。
【００４６】
より具体的には、図５Ｂに示すように、画素要素出力部１０２３−１〜１０２３−（Ｄ／４）は、画素出力部１０２２から入力端子Ｐ１を介して入力された（２ｎ，２ｍ）によって示される画素（ＹＣｂＣｒ）を出力端子Ｌ１に出力する。また、図５Ｂに示すように、画素要素出力部１０２３−１〜１０２３−（Ｄ／４）は、画素出力部１０２２から入力端子Ｐ２を介して入力された（２ｎ，２ｍ＋１）によって示される画素（ＹＣｂＣｒ）を出力端子Ｌ２に出力する。
【００４７】
また、図５Ｂに示すように、画素要素出力部１０２３−１〜１０２３−（Ｄ／４）は、画素出力部１０２２から入力端子Ｐ３を介して入力された（２ｎ＋１，２ｍ）によって示される画素（Ｙ）を出力端子Ｌ３に出力し、画素出力部１０２２から入力端子Ｐ４を介して入力された（２ｎ＋１，２ｍ＋１）によって示される画素（Ｙ）を出力端子Ｌ４に出力する。
【００４８】
図５Ｃは、カラーフォーマット情報がＹＣｂＣｒ４２０である場合において画素要素出力部１０２３−１〜１０２３−（Ｄ／４）における画素群の入出力の例を示す図である。かかる場合には、偶数ラインに含まれる画素群と奇数ラインに含まれる画素群とのすべてにおいて、Ｙは存在するが、ＣｂＣｒは、水平方向画素番号が偶数、かつ、垂直方向ライン番号が偶数である場合にしか存在しない（図４Ｃ参照）。
【００４９】
そこで、かかる場合には、画素要素出力部１０２３−１〜１０２３−（Ｄ／４）は、画素出力部１０２２から入力された（２ｎ，２ｍ）によって示される画素（ＲＧＢまたはＹＣｂＣｒ）を所定の出力端子に出力するとともに、（２ｎ，２ｍ＋１）（２ｎ＋１，２ｍ）（２ｎ＋１，２ｍ＋１）によって示される３画素（Ｙ）を同一の出力端子に出力する。
【００５０】
より具体的には、図５Ｃに示すように、画素要素出力部１０２３−１〜１０２３−（Ｄ／４）は、画素出力部１０２２から入力端子Ｐ１を介して入力された（２ｎ，２ｍ）によって示される画素（ＹＣｂＣｒ）を出力端子Ｌ１に出力する。また、図５Ｂに示すように、画素要素出力部１０２３−１〜１０２３−（Ｄ／４）は、画素出力部１０２２から入力端子Ｐ２を介して入力された（２ｎ，２ｍ＋１）（２ｎ＋１，２ｍ）（２ｎ＋１，２ｍ＋１）によって示される３画素（Ｙ）を出力端子Ｌ２に出力する。
【００５１】
続いて、分割数Ｄが２である場合を説明する。分割数Ｄが２である場合においても、分割数Ｄが４の倍数である場合と同様に、偶数ラインおよび奇数ラインが画素出力部１０２２に出力される。画素出力部１０２２は、入力端子１０２６を介して分割数算出部１０３から入力された分割数Ｄが２である場合、（２ｎ，２ｍ）（２ｎ，２ｍ＋１）（２ｎ＋１，２ｍ）（２ｎ＋１，２ｍ＋１）の４画素を画素単位として、一つのグループに分類する。
【００５２】
画素出力部１０２２は、一つのグループを画素要素出力部１０２３−１〜１０２３−（ＬＮ／４）のうち、画素要素出力部１０２３−１に出力する。画素要素出力部１０２３−１の入力端子Ｐ１〜Ｐ４には、（２ｎ，２ｍ）（２ｎ，２ｍ＋１）（２ｎ＋１，２ｍ）（２ｎ＋１，２ｍ＋１）の４画素それぞれが入力される。
【００５３】
画素要素出力部１０２３−１は、カラーフォーマット情報に基づいて、画素出力部１０２２から入力端子Ｐ１〜Ｐ４を介して入力された（２ｎ，２ｍ）（２ｎ，２ｍ＋１）（２ｎ＋１，２ｍ）（２ｎ＋１，２ｍ＋１）によって示される４画素それぞれを４つの出力端子Ｌ１〜Ｌ４のいずれかに出力する。
【００５４】
図６Ａは、カラーフォーマット情報がＲＧＢまたはＹＣｂＣｒ４４４である場合において画素要素出力部１０２３−１における画素群の入出力の例を示す図である。かかる場合には、偶数ラインに含まれる画素群と奇数ラインに含まれる画素群とのすべてにおいて、ＲＧＢまたはＹＣｂＣｒが存在する（図４Ａ参照）。そこで、かかる場合には、画素要素出力部１０２３−１は、画素出力部１０２２から入力された（２ｎ，２ｍ）（２ｎ，２ｍ＋１）（２ｎ＋１，２ｍ）（２ｎ＋１，２ｍ＋１）によって示される４画素のうちいずれか２つを同一の出力端子に出力し、他の２つを同一の出力端子に出力する。
【００５５】
より具体的には、図６Ａに示すように、画素要素出力部１０２３−１は、画素出力部１０２２から入力端子Ｐ１を介して入力された（２ｎ，２ｍ）によって示される画素（ＲＧＢまたはＹＣｂＣｒ）を出力端子Ｌ１に出力する。また、図６Ａに示すように、画素要素出力部１０２３−１は、画素出力部１０２２から入力端子Ｐ２を介して入力された（２ｎ，２ｍ＋１）によって示される画素（ＲＧＢまたはＹＣｂＣｒ）を出力端子Ｌ２に出力する。
【００５６】
また、図６Ａに示すように、画素要素出力部１０２３−１は、画素出力部１０２２から入力端子Ｐ３を介して入力された（２ｎ＋１，２ｍ）によって示される画素（ＲＧＢまたはＹＣｂＣｒ）を出力端子Ｌ１に出力する。また、図６Ａに示すように、画素要素出力部１０２３−１は、画素出力部１０２２から入力端子Ｐ４を介して入力された（２ｎ＋１，２ｍ＋１）によって示される画素（ＲＧＢまたはＹＣｂＣｒ）を出力端子Ｌ２に出力する。
【００５７】
図６Ｂは、カラーフォーマット情報がＹＣｂＣｒ４２２である場合において画素要素出力部１０２３−１における画素群の入出力の例を示す図である。かかる場合には、偶数ラインに含まれる画素群と奇数ラインに含まれる画素群とのすべてにおいて、Ｙは存在するが、ＣｂＣｒは、水平方向画素番号が偶数である場合にしか存在しない（図４Ｂ参照）。そこで、かかる場合には、画素要素出力部１０２３−１は、画素出力部１０２２から入力された（２ｎ，２ｍ）（２ｎ＋１，２ｍ）によって示される２画素を同一の出力端子に出力するとともに、（２ｎ，２ｍ＋１）（２ｎ＋１，２ｍ＋１）によって示される２画素を同一の出力端子に出力する。
【００５８】
より具体的には、図６Ｂに示すように、画素要素出力部１０２３−１は、画素出力部１０２２から入力端子Ｐ１を介して入力された（２ｎ，２ｍ）によって示される画素（ＲＧＢまたはＹＣｂＣｒ）と画素出力部１０２２から入力端子Ｐ３を介して入力された（２ｎ＋１，２ｍ）によって示される画素（Ｙ）とを同一の出力端子Ｌ１に出力する。また、図６Ｂに示すように、画素要素出力部１０２３−１は、画素出力部１０２２から入力端子Ｐ２を介して入力された（２ｎ，２ｍ＋１）によって示される画素（ＲＧＢまたはＹＣｂＣｒ）と画素出力部１０２２から入力端子Ｐ４を介して入力された（２ｎ＋１，２ｍ＋１）によって示される画素（Ｙ）とを同一の出力端子Ｌ２に出力する。
【００５９】
図６Ｃは、カラーフォーマット情報がＹＣｂＣｒ４２０である場合において画素要素出力部１０２３−１における画素群の入出力の例を示す図である。かかる場合には、偶数ラインに含まれる画素群と奇数ラインに含まれる画素群とのすべてにおいて、Ｙは存在するが、ＣｂＣｒは、水平方向画素番号が偶数、かつ、垂直方向ライン番号が偶数である場合にしか存在しない（図４Ｃ参照）。そこで、かかる場合には、画素要素出力部１０２３−１は、画素出力部１０２２から入力された（２ｎ，２ｍ）（２ｎ，２ｍ＋１）（２ｎ＋１，２ｍ）（２ｎ＋１，２ｍ＋１）によって示される４画素を同一の出力端子に出力する。
【００６０】
より具体的には、図６Ｃに示すように、画素要素出力部１０２３−１は、画素出力部１０２２から入力端子Ｐ１を介して入力された（２ｎ，２ｍ）によって示される画素（ＲＧＢまたはＹＣｂＣｒ）と入力端子Ｐ２を介して入力された（２ｎ，２ｍ＋１）によって示される画素（Ｙ）と入力端子Ｐ３を介して入力された（２ｎ＋１，２ｍ）によって示される画素（Ｙ）と画素出力部１０２２から入力端子Ｐ４を介して入力された（２ｎ＋１，２ｍ＋１）によって示される画素（Ｙ）とを同一の出力端子Ｌ１に出力する。
【００６１】
出力端子Ｌ１〜Ｌ４に出力された画素列は、それぞれ分割信号として信号出力部１０４に出力される。割り当て部１０５は、分割数Ｄに基づいて、出力端子Ｌ１〜Ｌ４それぞれから出力された分割信号に対して異なる伝送路３０１を割り当てる。さらに、割り当て部１０５は、複数の分割信号それぞれに対して割り当てられた伝送路３０１に繋がるレーンに対して複数の分割信号それぞれを出力するよう信号出力部１０４を制御する。
【００６２】
信号出力部１０４は、割り当て部１０５による制御に従って、複数の分割信号それぞれに対して割り当てられた伝送路３０１に繋がるレーンに対して当該分割信号を出力する。パケット生成部１０６は、複数の分割信号を所定のパケット単位に区切ることにより、複数の分割信号をパケット化し、フレーム生成部１０７に出力する。フレーム生成部１０７は、パケット生成部１０６から入力された複数の分割信号を別個に含む複数のフレームを生成する。ここで、フレーム生成部１０７によって生成されるフレームの構成例について説明する。
【００６３】
図７は、フレーム生成部１０７によって生成されるフレームの構成例を示す図である。ここでは、図７に示すように、映像信号Ｉｍｇの分割数Ｄが１６である場合に、映像信号Ｉｍｇから分割されて出力端子Ｌ１から出力される画素列（２ｎ，２ｍ）を分割信号Ｉｍｇ−１とする。しかし、映像信号Ｉｍｇの分割数Ｄは特に限定されない。また、以下では、分割信号Ｉｍｇ−１について主に説明するが、出力端子Ｌ２〜Ｌ４から出力される画素列についても出力端子Ｌ１から出力される画素列と同様に説明され得る。
【００６４】
図７には、Ｎ番目のフレームの全体が第Ｎ（Ｎは０以上の整数）フレームとして示され、Ｎ＋１番目のフレームの一部が第Ｎ＋１フレームとして示されている。図７に示すように、フレーム生成部１０７は、分割信号Ｉｍｇ−１のうち、最初のライン（映像信号Ｉｍｇにおける第０ライン）、２番目のライン（映像信号Ｉｍｇにおける第８ライン）およびそれらに続くラインを順に含んだフレームを生成する。
【００６５】
また、図７に示すように、フレーム生成部１０７は、フレームの先頭にフレーム開始識別子（ＳＹＮＣ）を付する。フレーム開始識別子には、少なくとも映像信号には存在しない所定のコード（以下、「特殊データ」とも言う。）のいずれか一つが割り当てられている。例えば、特殊データは、伝送路３０１を送受信されるデータの符号化に依存する。例えば、伝送路３０１を送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００６６】
図７を参照すると、分割信号の各ラインの後には、ブランキング区間が挿入されている。ブランキング区間には、特殊データのうち、フレーム開始識別子に割り当てられている特殊データとは異なる特殊データが割り当てられている。
【００６７】
また、フレーム生成部１０７は、分割信号Ｉｍｇ−１の各ラインの先頭画素の映像信号Ｉｍｇにおける位置情報（水平方向画素番号，垂直方向ライン番号）をフレームの所定位置に付する。例えば、図７に示す例では、フレームのうち、分割信号Ｉｍｇ−１の各ラインの前には、フレーム開始識別子またはブランキング区間が存在している。ここで、ブランキング区間には、特殊データのうち、フレーム開始識別子に割り当てられている特殊データとは異なる特殊データが割り当てられている。そこで、フレーム生成部１０７は、フレーム開始識別子またはブランキング区間の位置を基準とした所定位置に、当該位置情報を付する。
【００６８】
なお、フレーム生成部１０７は、フレームに対して符号化を行ってもよい。具体的には、フレーム生成部１０７は、フレームに対して８ｂ／１０ｂ符号化を行ってもよい。例えば、フレーム生成部１０７は、フレームのうち、フレーム開始識別子を対応する特殊データに置換し、ブランキング区間を対応する特殊データに置換し、これら以外のデータを１０ビット単位のデータに置換してもよい。また、フレーム生成部１０７は、符号化されたフレームを高速伝送に適した形式にすべくパラレルデータからシリアルデータに変換してもよい。
【００６９】
送信部１０８は、信号出力部１０４と送信部１０８とを繋ぐレーンから入力されたフレームを、伝送路３０１を介して受信器２００に送信する。例えば、分割信号Ｉｍｇ−１には伝送路３０１−１が割り当てられ、送信部１０８−１には、信号出力部１０４と送信部１０８−１とを繋ぐレーンから分割信号Ｉｍｇ−１を含むフレームが入力されるため、送信部１０８−１は、分割信号Ｉｍｇ−１を含むフレームを、伝送路３０１−１を介して受信器２００に送信する。
【００７０】
例えば、伝送路３０１が光ファイバによって構成されている場合、送信部１０８は、ＬＤ（レーザダイオード）およびＬＤＤ（レーザダイオードドライバ）により構成され、フレーム生成部１０７によって生成されたフレームをＬＤＤによって駆動したＬＤによって光信号に変換してから、伝送路３０１を介して受信器２００に送信する。しかし、送信器１００から伝送路３０１を介して受信器２００に送信される信号の種類は限定されない。例えば、送信部１０８は、電気信号の送信機により構成され、電気信号により伝送路３０１を介してフレームを電気信号の送信機によって受信器２００に送信してもよい。
【００７１】
（２−２．受信器の構成例）
続いて、受信器２００の構成について説明する。受信部２０８は、送信部１０８から送信されたフレームを、伝送路３０１を介して受信する。例えば、受信部２０８−１は、送信部１０８−１から送信されたフレームを、伝送路３０１−１を介して受信する。また、受信部２０８−２は、送信部１０８−２から送信されたフレームを、伝送路３０１−２を介して受信する。また、受信部２０８−ＬＮは、送信部１０８−ＬＮから送信されたフレームを、伝送路３０１−ＬＮを介して受信する。
【００７２】
例えば、伝送路３０１が光ファイバによって構成されている場合、受信部２０８は、ＰＤ（フォトディテクタ）および増幅器により構成され、送信器１００から光信号によって送信されたフレームを増幅器によって増幅し、増幅したフレームをＰＤによって受光して電気信号に変換する。例えば、増幅器は、電流信号に対してインピーダンス変換を行うことによって電圧信号を得た後、電圧信号に対して振幅増幅を行う。しかし、上記したように、送信器１００から伝送路３０１を介して受信器２００に送信される信号の種類は限定されない。例えば、受信部２０８は、電気信号の受信機により構成され、電気信号により伝送路３０１を介してフレームを電気信号の受信機によって送信器１００から受信してもよい。
【００７３】
識別情報抽出部２０７は、受信部２０８によって受信されたフレームから各種の識別情報を抽出する前に、受信部２０８によって受信された各フレームをシリアルデータからパラレルデータに変換し、パラレルデータに変換されたフレームを復号してもよい。具体的には、識別情報抽出部２０７は、受信部２０８によって受信された各フレームに対して８ｂ／１０ｂ復号を行ってもよい。
【００７４】
例えば、識別情報抽出部２０７は、受信部２０８によって受信された各フレームのうち、フレーム開始識別子（ＳＹＮＣ）に対応する特殊データをフレーム開始識別子（ＳＹＮＣ）に置換し、ブランキング区間に対応する特殊データをブランキング区間に置換してもよい。一方、識別情報抽出部２０７は、受信部２０８によって受信された各フレームのうち、残りのデータも８ビット単位のデータに置換してもよい。
【００７５】
続いて、識別情報抽出部２０７は、受信部２０８によって受信されたフレームからフレーム開始識別子を抽出する。そして、識別情報抽出部２０７は、フレーム開始識別子の位置に基づいて、フレームの所定位置に付された位置情報をフレームから抽出する。例えば、図７に示すように、フレームのうち、分割信号Ｉｍｇ−１の各ラインの前には、フレーム開始識別子またはブランキング区間が存在する。そこで、識別情報抽出部２０７は、フレーム開始識別子またはブランキング区間を基準とした所定位置から分割信号の各ラインの先頭画素の映像信号Ｉｍｇにおける位置情報を抽出する。
【００７６】
また、識別情報抽出部２０７は、受信部２０８によって受信されたフレームからパケット化された分割信号を抽出する。例えば、識別情報抽出部２０７は、受信部２０８によって受信されたフレームの先頭に付されたフレーム開始識別子の位置に基づいて、当該フレームからパケット化された分割信号を抽出する。より具体的には、識別情報抽出部２０７は、フレーム開始識別子の位置を基準とした分割信号の相対的な位置を把握していれば、この相対的な位置に基づいて、パケット化された分割信号を抽出することができる。
【００７７】
パケット化された分割信号は、識別情報抽出部２０７によって信号取得部２０６に出力される。信号取得部２０６は、分割信号がパケット化された映像パケットに基づいて分割信号を取得する。より具体的には、分割信号に対するパケット化（パケット単位の区切り）を解除することによって分割信号を復元する。分割信号は、信号出力部２０４に出力される。
【００７８】
復元制御部２０３は、複数の分割信号を合成することにより映像信号Ｉｍｇを復元するよう画像復元部２０２を制御する。例えば、復元制御部２０３は、識別情報抽出部２０７から入力された分割信号の各ラインの先頭画素の映像信号Ｉｍｇにおける位置情報に基づいて、複数の分割信号を合成することにより映像信号Ｉｍｇを復元するよう画像復元部２０２を制御する。あるいは、復元制御部２０３は、送信器１００から分割数Ｄの通知を受けた場合には、分割数Ｄに基づいて各フレームに含まれる分割信号の各画素の位置情報を把握してもよい。
【００７９】
画像復元部２０２は、複数の分割信号に基づいて映像信号Ｉｍｇを復元する。具体的には、画像復元部２０２は、復元制御部２０３による制御に従って、各フレームに含まれる分割信号を合成することによって映像信号Ｉｍｇを復元する。
【００８０】
画像表示部２０１は、映像信号Ｉｍｇに基づいて映像の表示を行う。具体的には、画像表示部２０１は、映像信号＃１を再生して映像を表示するとともに、映像信号Ｉｍｇを再生して映像を表示する。例えば、画像表示部２０１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイおよびプロジェクタなどの表示装置などであり得る。なお、図１Ｂには、画像表示部２０１が受信器２００に組み込まれている例が示されているが、画像表示部２０１は、受信器２００の外部に存在していてもよい。
【００８１】
（３．むすび）
以上説明したように、本開示の実施形態によれば、映像信号Ｉｍｇにおける水平方向画素番号を０からＮ−１までの整数とし、映像信号Ｉｍｇにおける垂直方向ライン番号を０からＭ−１までの整数とした場合、垂直方向ライン番号が２ｍであるラインに含まれる画素群と垂直方向ライン番号が（２ｍ＋１）であるラインに含まれる画素群とを映像信号Ｉｍｇのカラーフォーマット情報に基づいて分割する動作を０≦ｍ≦（Ｍ／２）−１を満たすすべての整数ｍについて行うことにより複数の分割信号を得る画像分割部１０２と、複数の分割信号を別個に含む複数のフレームを生成するフレーム生成部１０７と、を備える、フレーム生成装置１００が提供される。
【００８２】
かかる構成によれば、画像分割部１０２は、１ライン分の画素群を保持するためのラインメモリを有し、このラインメモリは垂直方向ライン番号が偶数であるラインに含まれる画素群を一時的に保持し、垂直方向ライン番号が奇数であるラインに含まれる画素群とともに出力すればよい。したがって、映像信号Ｉｍｇが複数の伝送路３０１−１〜３０１−ＬＮを介して送信される画像伝送システムの生産コストを抑制することが可能となる。
【００８３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００８４】
例えば、上記においては、画像分割部１０２、パケット生成部１０６およびフレーム生成部１０７が、送信部１０８−１〜１０８−ＬＮのすべてに対して共通化されているが、画像分割部１０２、パケット生成部１０６およびフレーム生成部１０７は、送信部１０８−１〜１０８−ＬＮそれぞれに対して個別に設けられていてもよい。
【００８５】
同様に、上記においては、識別情報抽出部２０７および信号取得部２０６が、受信部２０８−１〜２０８−ＬＮのすべてに対して共通化されているが、識別情報抽出部２０７および信号取得部２０６は、受信部２０８−１〜２０８−４それぞれに対して個別に設けられていてもよい。
【００８６】
また、受信器２００は、フレームが伝送されない伝送路３０１を把握するようにしてもよい。例えば、フレームが伝送されない伝送路３０１は、事前に送信器１００から受信器２００に通知されてもよい。あるいは、受信器２００は、意味のある内容が記述されたフレームを受信しない受信部２０８に接続された伝送路３０１をフレームが伝送されない伝送路３０１として把握してもよい。
【００８７】
このとき、受信器２００は、フレームが伝送されない伝送路３０１に接続された受信部２０８の動作を停止させてもよい。また、上記のように、識別情報抽出部２０７および信号取得部２０６が受信部２０８−１〜２０８−ＬＮそれぞれに対して個別に設けられている場合も想定される。かかる場合、受信器２００は、フレームが伝送されない伝送路３０１に対応するパケット生成部１０６およびフレーム生成部１０７の動作を停止させることも可能である。
【００８８】
また、例えば、画像生成部１０１、画像分割部１０２、分割数算出部１０３、割り当て部１０５、パケット生成部１０６およびフレーム生成部１０７は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、識別情報抽出部２０７、信号取得部２０６、復元制御部２０３および画像復元部２０２は、別個のＩＣに実装されてもよいし、いずれかの組み合わせが同一のＩＣに実装されてもよい。
【００８９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００９０】
なお、以下のような構成も本開示の技術的範囲に属する。
（１）
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、
前記複数の分割信号を別個に含む複数のフレームを生成するフレーム生成部と、
を備える、フレーム生成装置。
（２）
前記フレーム生成部は、前記フレームの先頭にフレーム開始識別子を付する、
前記（１）に記載のフレーム生成装置。
（３）
前記フレーム生成部は、前記分割信号の各ラインの先頭画素の前記映像信号における位置情報を前記フレームの所定位置に付する、
前記（２）に記載のフレーム生成装置。
（４）
前記フレームのうち、前記分割信号の各ラインの前には、前記フレーム開始識別子または少なくとも前記映像信号には存在しない所定のコードに置換されるブランキング区間が存在し、
前記フレーム生成部は、前記フレーム開始識別子または前記ブランキング区間の位置を基準とした前記所定位置に前記位置情報を付する、
前記（３）に記載のフレーム生成装置。
（５）
前記画像分割部は、前記垂直方向ライン番号が２ｍであるラインに含まれる画素群と前記垂直方向ライン番号が（２ｍ＋１）であるラインに含まれる画素群とを所定の分割数に分割する、
前記（１）〜（４）のいずれか一項に記載のフレーム生成装置。
（６）
前記フレーム生成装置は、
伝送路一本あたりの伝送容量と前記映像信号の伝送レートとに基づいて前記分割数を算出する分割数算出部を備える、
前記（５）に記載のフレーム生成装置。
（７）
前記画像分割部は、前記分割数が４の倍数である場合、
前記カラーフォーマット情報がＲＧＢまたはＹＣｂＣｒ４４４である場合には、（水平方向画素番号，垂直方向ライン番号）＝（２ｎ，２ｍ）（２ｎ，２ｍ＋１）（２ｎ＋１，２ｍ）（２ｎ＋１，２ｍ＋１）によって示される４画素それぞれを異なるレーンに出力し、
前記カラーフォーマット情報がＹＣｂＣｒ４２２である場合には、（２ｎ，２ｍ）（２ｎ，２ｍ＋１）によって示される２画素をそれぞれ異なるレーンに出力するとともに、（２ｎ＋１，２ｍ）（２ｎ＋１，２ｍ＋１）によって示される２画素を同一のレーンに出力し、
前記カラーフォーマット情報がＹＣｂＣｒ４２０である場合には、（２ｎ，２ｍ）によって示される画素を所定のレーンに出力するとともに、（２ｎ，２ｍ＋１）（２ｎ＋１，２ｍ）（２ｎ＋１，２ｍ＋１）によって示される３画素を同一のレーンに出力する、
前記（５）または（６）に記載のフレーム生成装置。
（８）
前記画像分割部は、前記分割数が２である場合、
前記カラーフォーマット情報がＲＧＢまたはＹＣｂＣｒ４４４である場合には、（水平方向画素番号，垂直方向ライン番号）＝（２ｎ，２ｍ）（２ｎ，２ｍ＋１）（２ｎ＋１，２ｍ＋１）によって示される４画素のうちいずれか２つを同一レーンに（２ｎ＋１，２ｍ）出力するとともに、他の２つを同一レーンに出力し、
前記カラーフォーマット情報がＹＣｂＣｒ４２２である場合には、（２ｎ，２ｍ）（２ｎ＋１，２ｍ）によって示される２画素を同一のレーンに出力するとともに、（２ｎ，２ｍ＋１）（２ｎ＋１，２ｍ＋１）によって示される２画素を同一のレーンに出力し、または、（２ｎ，２ｍ）（２ｎ＋１，２ｍ＋１）によって示される２画素を同一のレーンに出力するとともに、（２ｎ，２ｍ＋１）（２ｎ＋１，２ｍ）によって示される２画素を同一のレーンに出力し、
前記カラーフォーマット情報がＹＣｂＣｒ４２０である場合には、（２ｎ，２ｍ）（２ｎ，２ｍ＋１）（２ｎ＋１，２ｍ）（２ｎ＋１，２ｍ＋１）によって示される４画素を同一のレーンに出力する、
前記（５）または（６）に記載のフレーム生成装置。
（９）
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得ることと、
前記複数の分割信号を別個に含む複数のフレームを生成することと、
を備える、フレーム生成方法。
（１０）
垂直方向ライン番号が２ｍであるラインに含まれる画素群と前記垂直方向ライン番号が（２ｍ＋１）であるラインに含まれる画素群とを映像信号のカラーフォーマット情報に基づいて分割する動作を０≦ｍ≦（Ｍ／２）−１を満たすすべての整数ｍについて行うことにより得られた複数の分割信号を別個に含む複数のフレームが受信されると、前記複数の分割信号を取得する信号取得部と、
前記分割信号に基づいて、前記映像信号を復元する画像復元部と、
を備える、画像復元装置。
（１１）
前記信号取得部は、フレーム開始識別子の位置に基づいて前記分割信号を取得する、
前記（１０）に記載の画像復元装置。
（１２）
前記画像復元部は、前記フレームの所定位置に付された前記分割信号の各ラインの先頭画素の前記映像信号における位置情報に基づいて前記映像信号を復元する、
前記（１０）または（１１）に記載の画像復元装置。
（１３）
前記フレームのうち、前記分割信号の各ラインの前には、フレーム開始識別子またはブランキング区間が存在し、
前記画像復元部は、前記フレーム開始識別子または前記ブランキング区間の位置を基準とした所定位置に付された前記位置情報に基づいて前記映像信号を復元する、
前記（１２）に記載の画像復元装置。
（１４）
前記信号取得部は、前記垂直方向ライン番号が２ｍであるラインに含まれる画素群と前記垂直方向ライン番号が（２ｍ＋１）であるラインに含まれる画素群とを所定の分割数に分割することによって得られた前記複数の分割信号を取得する
前記（１０）〜（１３）のいずれか一項に記載の画像復元装置。
（１５）
前記分割数は、伝送路一本あたりの伝送容量と前記映像信号の伝送レートとに基づいて算出される、
前記（１４）に記載の画像復元装置。
（１６）
前記分割数が４の倍数である場合、
前記カラーフォーマット情報がＲＧＢまたはＹＣｂＣｒ４４４である場合には、（水平方向画素番号，垂直方向ライン番号）＝（２ｎ，２ｍ）（２ｎ，２ｍ＋１）（２ｎ＋１，２ｍ）（２ｎ＋１，２ｍ＋１）によって示される４画素それぞれが異なるレーンから入力され、
前記カラーフォーマット情報がＹＣｂＣｒ４２２である場合には、（２ｎ，２ｍ）（２ｎ，２ｍ＋１）がそれぞれ異なるレーンから入力されるとともに、（２ｎ＋１，２ｍ）（２ｎ＋１，２ｍ＋１）が同一のレーンから入力され、
前記カラーフォーマット情報がＹＣｂＣｒ４２０である場合には、（２ｎ，２ｍ）が所定のレーンから入力されるとともに、（２ｎ，２ｍ＋１）（２ｎ＋１，２ｍ）（２ｎ＋１，２ｍ＋１）が同一のレーンから入力される、
前記（１４）または（１５）に記載の画像復元装置。
（１７）
前記分割数が２である場合、
前記カラーフォーマット情報がＲＧＢまたはＹＣｂＣｒ４４４である場合には、（水平方向画素番号，垂直方向ライン番号）＝（２ｎ，２ｍ）（２ｎ＋１，２ｍ）（２ｎ，２ｍ＋１）（２ｎ＋１，２ｍ＋１）によって示される４画素のうちいずれか２つが同一レーンから入力されるとともに、他の２つが同一レーンから入力され、
前記カラーフォーマット情報がＹＣｂＣｒ４２２である場合には、（２ｎ，２ｍ）（２ｎ＋１，２ｍ）が同一のレーンから入力されるとともに、（２ｎ，２ｍ＋１）（２ｎ＋１，２ｍ＋１）が同一のレーンから入力され、または、（２ｎ，２ｍ）（２ｎ＋１，２ｍ＋１）が同一のレーンから入力されるとともに、（２ｎ，２ｍ＋１）（２ｎ＋１，２ｍ）が同一のレーンから入力され、
前記カラーフォーマット情報がＹＣｂＣｒ４２０である場合には、（２ｎ，２ｍ）（２ｎ，２ｍ＋１）（２ｎ＋１，２ｍ）（２ｎ＋１，２ｍ＋１）が同一のレーンから入力される、
前記（１４）または（１５）に記載の画像復元装置。
（１８）
垂直方向ライン番号が２ｍであるラインに含まれる画素群と前記垂直方向ライン番号が（２ｍ＋１）であるラインに含まれる画素群とを映像信号のカラーフォーマット情報に基づいて分割する動作を０≦ｍ≦（Ｍ／２）−１を満たすすべての整数ｍについて行うことにより得られた複数の分割信号を別個に含む複数のフレームが受信されると、前記複数の分割信号を取得することと、
前記分割信号に基づいて、前記映像信号を復元することと、
を備える、画像復元方法。
（１９）
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得る画像分割部と、
前記複数の分割信号を別個に含む複数のフレームを生成するフレーム生成部と、
を備える、送信器と、
前記複数のフレームが受信されると、前記複数の分割信号を取得する信号取得部と、
前記分割信号に基づいて、前記映像信号を復元する画像復元部と、
を備える、受信器と、
を有する、画像伝送システム。
（２０）
映像信号における水平方向画素番号を０からＮ−１までの整数とし、前記映像信号における垂直方向ライン番号を０からＭ−１までの整数とした場合、前記垂直方向ライン番号が２ｍであるラインに含まれる画素群と前記垂直方向ライン番号が（２ｍ＋１）であるラインに含まれる画素群とを前記映像信号のカラーフォーマット情報に基づいて分割する動作を０≦ｍ≦（Ｍ／２）−１を満たすすべての整数ｍについて行うことにより複数の分割信号を得ることと、
前記複数の分割信号を別個に含む複数のフレームを生成することと、
前記複数のフレームが受信されると、前記複数の分割信号を取得することと、
前記分割信号に基づいて、前記映像信号を復元することと、
を含む、画像伝送方法。
【符号の説明】
【００９１】
１００  送信器（フレーム生成装置）
１０１  画像生成部
１０２  画像分割部
１０２１  ライン出力部
１０２２  画素出力部
１０２３  画素要素出力部
１０３  分割数算出部
１０４  信号出力部
１０５  割り当て部
１０６  パケット生成部
１０７  フレーム生成部
１０８  送信部
２００  受信器（画像復元装置）
２０１  画像表示部
２０２  画像復元部
２０３  復元制御部
２０４  信号出力部
２０６  信号取得部
２０７  識別情報抽出部
２０８  受信部
３００  ケーブル
３０１  伝送路
【図１Ａ】
2017094318.tif 000003
【図１Ｂ】
2017094318.tif 000004
【図２Ａ】
2017094318.tif 000005
【図２Ｂ】
2017094318.tif 000006
【図３】
2017094318.tif 000007
【図４Ａ】
2017094318.tif 000008
【図４Ｂ】
2017094318.tif 000009
【図４Ｃ】
2017094318.tif 000010
【図５Ａ】
2017094318.tif 000011
【図５Ｂ】
2017094318.tif 000012
【図５Ｃ】
2017094318.tif 000013
【図６Ａ】
2017094318.tif 000014
【図６Ｂ】
2017094318.tif 000015
【図６Ｃ】
2017094318.tif 000016
【図７】
2017094318.tif 000017
【国際調査報告】
2017094318.tif 000018
2017094318.tif 000019
2017094318.tif 000020